(57)【要約】【課題】  仮取り付けの状態でアクセス部にアクセス可能であり、蓋を紛失するおそれがない蓋取付構造を提供する。【解決手段】エスカッション２には、開口６へのアクセス方向から傾斜した方向に延びる傾斜穴９，９が形成される。エスカッションリッド３は、外装面１３を表面に備えたリッド本体１４、リッド本体１４の裏面から延出する挿入体１５，１５とからなる。本取り付け時には、挿入体１５，１５が傾斜穴９，９に正規方向に挿入されて、リッド本体１４が開口６を覆う。仮取り付け時には、本取り付け時に対してエスカッションリッド３を反転した状態で、挿入体１５，１５が部分的に傾斜穴９，９に挿入され、開口６に外部からアクセス可能である。【選択図】図２
2011144884.tif 000002
【特許請求の範囲】
【請求項１】
アクセス部を覆い被取付部材に取り外し可能に取り付けられる蓋の取付構造であって、
前記被取付部材には、前記アクセス部へのアクセス方向から傾斜した方向に延びる傾斜穴が形成され、
前記蓋は、外装面を表面に備えた蓋本体と、該蓋本体の裏面から延出する挿入体とからなり、
前記蓋の本取り付け時には、前記挿入体が前記傾斜穴に正規方向に挿入されて、前記蓋本体が前記アクセス部を覆い、
前記蓋の仮取り付け時には、前記本取り付け時に対して前記蓋を反転した状態で、前記挿入体が部分的に前記傾斜穴に挿入されて、前記アクセス部に外部からアクセス可能であることを特徴とする蓋の取付構造。
【請求項２】
前記傾斜穴の手前側と奥側とに被係止部が形成されるとともに、前記挿入体に係止部が形成され、
前記蓋の本取り付け時には、前記奥側の被係止部に前記係止部が係止され、前記蓋の仮取り付け時には、前記手前側の前記被係止部に前記係止部が係止されることを特徴とする請求項１に記載の蓋の取付構造。
【請求項３】
前記蓋本体を収容可能であり、底面に前記アクセス部を有する窪みが前記被取付部材に形成され、
前記蓋の本取り付け時には、前記蓋本体が前記窪み内に収容され、前記蓋の仮取り付け時には、前記蓋本体の一側面が前記窪みの周縁に接触しないことを特徴とする請求項１又は２に記載の蓋の取付構造。
【請求項４】
前記蓋本体の一側面と対向する前記蓋本体の側面は、前記アクセス方向と同方向に傾斜することを特徴とする請求項３に記載の蓋の取付構造。
【発明の詳細な説明】
【技術分野】
【０００１】
本発明は、蓋の取付構造、特に取り外し可能な蓋の取付構造に関する。
【背景技術】
【０００２】
船舶等の移動手段を用いて、工場から出荷した完成車両を国内又は海外の目的地に搬送することが多い。船舶で完成車両を搬送するとき、自動変速操作装置のシフトバーのシフト位置を「Ｎ（ニュートラル）」にすることがある。
【０００３】
シフトレバーのシフト位置を「Ｐ（パーキング）」から「Ｎ」に変更するとき、シフトレバー傍にあるシフトロック用解除キー差込孔に解除キーを差し込み、インターロックを解除する必要がある。
【０００４】
このキー差込孔は、エスカッションリッド（蓋）で覆われている（例えば、特許文献１参照）。そこで、キー差し込み時に、エスカッションとの隙間に工具を差し込んで、エスカッションリッドを取り外す必要がある。しかし、取り外す際に、エスカッションリッドに外傷が付くおそれがあった。
【０００５】
そこで、工場出荷段階ではエスカッションリッドを嵌め込まずに、袋詰めした状態で車室内に投入しておき、搬送完了段階でエスカッションリッドを嵌め込む作業を行っている。しかし、車両搬送時にエスカッションリッドが紛失するおそれがある。
【０００６】
また、内装色等の相違によって複数のエスカッションリッドが存在する。そのため、車両組立時に、袋詰めしたエスカッションリッドを車室内に投入する際に、適切なエスカッションリッドを詰めた袋を選択する必要がある。現在、エスカッションリッドを詰める袋をチャック付きの袋とし、チャックの色に応じて、適切なエスカッションリッドを選択している。しかし、選択作業が煩雑であり、人為的な選択ミスが生じるおそれがある。
【０００７】
なお、特許文献２には、車両バンパ（被取付部材）の取付穴に着脱自在に取り付けられるガーニッシュ（蓋）が開示されている。このガーニッシュは、突起状の係止部が２箇所に形成された係止爪を備えている。ガーニッシュの仮取り付け時には、手前側の係止部を被係止部に係合させて、ガーニッシュ本体がバンパ表面から浮き上がった状態で保持させる。一方、ガーニッシュの正規位置への取り付け時には、奥側の係止部を被係止部に係合させ、ガーニッシュ本体の表面とバンパ表面とを面一にする。
【先行技術文献】
【特許文献】
【０００８】
【特許文献１】特開２００５−６７２５５号公報
【特許文献２】特開２００４−３５２００２号公報
【発明の概要】
【発明が解決しようとする課題】
【０００９】
そこで、エスカッションリッドの取付構造に上記特許文献２で開示されたガーニッシュの取付構造を採用することが考えられる。この場合、仮取り付けしたエスカッションリッドを工具を用いることなく容易に取り外すことが可能となり、取り外す際に外傷を付けるおそれは解消され得る。
【００１０】
しかし、仮取り付けの状態ではキー差込孔にアクセスできず、解除キーを差し込む際にエスカッションリッドを取り外す必要があり、作業の煩雑さは解消されない。また、取り外したときにエスカッションリッドを紛失するおそれもある。
【００１１】
本発明は、かかる背景に鑑みてなされたものであり、仮取り付けの状態でアクセス部にアクセス可能であり、蓋を紛失するおそれがない蓋の取付構造を提供することを目的とする。
【課題を解決するための手段】
【００１２】
本発明は、かかる目的を達成するために、アクセス部を覆い被取付部材に取り外し可能に取り付けられる蓋の取付構造であって、前記被取付部材には、前記アクセス部へのアクセス方向から傾斜した方向に延びる傾斜穴が形成され、前記蓋は、外装面を表面に備えた蓋本体と、該蓋本体の裏面から延出する挿入体とからなり、前記蓋の本取り付け時には、前記挿入体が前記傾斜穴に正規方向に挿入されて、前記蓋本体が前記アクセス部を覆い、前記蓋の仮取り付け時には、前記本取り付け時に対して前記蓋を反転した状態で、前記挿入体が部分的に前記傾斜穴に挿入されて、前記アクセス部に外部からアクセス可能であることを特徴とする。
【００１３】
本発明によれば、蓋の本取り付けと仮取り付けとを、蓋の挿入体を傾斜穴に挿入する際に、蓋を反転させるだけで区別することができる。そして、蓋の本取り付け時には、アクセス部が蓋本体で覆われるので、蓋を取り外さなければ、アクセス部に外部からアクセスできない。そのため、緊急時や特殊時などにのみアクセスする必要があるアクセス部を、通常時にはアクセス困難にすることが可能となる。
【００１４】
一方、蓋の仮取り付け時には、アクセス部に外部からアクセス可能である。そのため、、緊急時や特殊時などに、蓋を被取付部材自体に仮取り付けした状態でアクセス部にアクセスすることができ、蓋を紛失するおそれがない。
【００１５】
さらに、蓋の仮取り付け時にも、蓋の外装面と被取付部材の表面とに色彩、光沢、材質などの相違がある場合には明瞭に区別可能であり、色彩、光沢、材質などが相違する他の蓋を誤って取り付けるおそれがない。
【００１６】
ところで、蓋の本取り付け時及び仮取り付け時に、蓋が被取付部材に仮固定され、その取り付け状態が確実に維持されることが望ましい。
【００１７】
そこで、例えば、本発明において、前記傾斜穴の手前側と奥側とに被係止部が形成されるとともに、前記挿入体に係止部が形成され、前記蓋の本取り付け時には、前記奥側の被係止部に前記係止部が係止され、前記蓋の仮取り付け時には、前記手前側の前記被係止部に前記係止部が係止されることが好ましい。
【００１８】
この場合、蓋の本取り付け時及び仮取り付け時で異なる被係止部に係止部が係止されるので、各取り付け時に適した蓋の被取付部材に対する位置決めが確実に行われるとともに、各取り付け状態が確実に維持される。
【００１９】
また、本発明において、前記蓋本体を収容可能であり、底面に前記アクセス部を有する窪みが前記被取付部材に形成され、前記蓋の本取り付け時には、前記蓋本体が前記窪み内に収容され、前記蓋の仮取り付け時には、前記蓋本体の一側面が前記窪みの周縁に接触しないことが好ましい。
【００２０】
この場合、蓋の本取り付け時に、蓋本体が窪み内に収容されるので、蓋と被取付部材の表面段差を解消することが可能となり、外観が向上する。さらに、蓋の仮取り付け時に、蓋本体の一側面が窪みの周縁に接触しないので、窪みの周縁に傷が付かない。
【００２１】
また、本発明において、前記蓋本体の一側面と対向する前記蓋本体の側面は、前記アクセス方向と同方向に傾斜することが好ましい。
【００２２】
この場合、蓋の本取り付け時、蓋をアクセス方向に差し込む際に、引っ掛りなく蓋本体を容易に窪みに収容させることができる。
【図面の簡単な説明】
【００２３】
【図１】本発明の実施形態に係る自動変速操作装置を示す上面図。
【図２】エスカッションの一部とエスカッションリッドを示す斜視図である。
【図３】本取り付け時の状態を示し、（ａ）は斜視図、（ｂ）は上面図、（ｃ）は側面図。
【図４】仮取り付け時の状態を示し、（ａ）は斜視図、（ｂ）は上面図、（ｃ）は側面図。
【図５】本発明の実施形態の変形に係るバンパを含む車両を示す斜視図。
【発明を実施するための形態】
【００２４】
以下、本発明の一実施形態を図面を参照して説明する。ここでは、図１を参照して、自動変速操作装置１のエスカッション（被取付部材）２にエスカッションリッド（蓋）３を取り付ける構造について説明する。
【００２５】
自動変速操作装置１は、車両に具備された自動変速機（オートマチックトランスミッション）の変速操作を行うためのものである。自動変速操作装置１のエスカッション２には、これを貫通するシフトレバー（セレクトレバー）４の回動を許容する長孔が形成され、この長孔はシフトレバー４とともに移動するシャッタ板５により閉じられるように構成されている。
【００２６】
シフトレバー４は、パーキング位置（Ｐ）、リバース位置（Ｒ）、ドライブ位置（Ｄ） 及び２速位置（２）の各シフト位置間で回動し、前記自動変速機に対して所望の変速操作を行う。エスカッション２の上面には、シフトレバー４のシフト位置が表示されている。
【００２７】
エスカッション２には、図示しない解除キーが差し込まれるキー差込孔にアクセスするための開口（アクセス部）６（図４（ａ）及び図４（ｂ）参照）が形成されている。通常、この開口６には、エスカッションリッド３が嵌め込まれている。エスカッションリッド３を取り外して、キー差込孔に解除キーを差し込むと、図示しないパーキングロック機構による規制が解除される。これにより、イグニッションキーをオンにして、ブレーキペダルを踏むことなく、シフトレバー４をパーキング位置から他のシフト位置へ回動させることが可能となる。
【００２８】
エスカッションリッド３は、開口６を覆うようにしてエスカッション２に取り外し可能（着脱自在）に取り付けられる。
【００２９】
エスカッション２には、略直方体状の窪み（凹部）７が形成されており、窪み７の底面の中央部に、開口６を有している。窪み７周縁のエスカッション２の表面８は、略水平の装飾面となっている。
【００３０】
さらに、窪み７の底面の開口６の両外側から、開口６を介した前記キー差込孔へのアクセス方向（垂直方向）Ａから略４５度傾斜した方向Ｂに延びる一対の傾斜穴９，９が形成されている。そして、各傾斜穴９の外側側面にはそれぞれ２つの係止穴１０，１１が連設されている（図３（ｃ）及び図４（ｃ）参照）。係止穴１０，１１は、傾斜穴９の手前側（エスカッション２の表面側）と奥側の２箇所に同形状に形成されている。また、窪み７の傾斜穴９，９が延びる方向Ｂと反対側に位置する側面１２は、傾斜穴９，９の傾斜方向と同じ方向に傾斜した傾斜面となっている。
【００３１】
エスカッションリッド３は、外装面１３を表面に備えたリッド本体（蓋本体）１４と、リッド本体１４の裏面から延出し、エスカッション２の各傾斜穴９，９にそれぞれ挿入される一対の挿入体１５，１５とから構成されている。エスカッションリッド３は、例えば、合成樹脂材から形成される。
【００３２】
リッド本体１４は、窪み７と略同形の略直方体に形成されており、その一側面１６が傾斜穴９，９の傾斜方向Ｂと同じ方向に傾斜した斜面に形成されている。エスカッションリッド３の本取り付け時には、リッド本体１４の裏面が窪み７の底面と当接するとともに、外装面１３とその周囲のエスカッション２の表面８とが略面一になるように構成されている。そのため、外観上の配慮から、外装面１３は、エスカッション２の表面８と同様の外観を有する装飾面に形成されることが好ましい。
【００３３】
また、斜面に形成された一側面１６から対向する一側面１７は概略垂直面に形成されているが、取り外し時にエスカッション２との隙間に工具を差し込むための切欠部１８が形成されている。
【００３４】
挿入体１５，１５は、リッド本体１４の裏面からエスカッション２の傾斜穴９，９の傾斜方向に延出している。各挿入体１５は、略断面矩形状の棒体であるが、その先端部には、それぞれ外側方向に向けて突出するフック状の係止部１９が形成されている。
【００３５】
エスカッションリッド３の本取り付け時には、挿入体１５，１５が傾斜穴９，９に挿入され、開口６をリッド本体１４が覆う。一方、エスカッションリッド３の仮取り付け時には、本取り付け時に対してエスカッションリッド３が反転され、挿入体１５，１５の一部のみが傾斜穴９，９に挿入される。
【００３６】
以下、エスカッションリッド３のエスカッション２への取り付けについて説明する。この取り付けには、正規位置への取り付けである本取り付けと、車両搬送完了時までの一時的な取り付けである仮取り付けとの２種類ある。
【００３７】
まず、エスカッションリッド３のエスカッション２への本取り付けについて説明する。
【００３８】
エスカッションリッド３を、図２に示す正規状態で、エスカッション２の傾斜穴９，９の傾斜方向Ｂを挿入方向として、エスカッション２に対して奥まで差し込み、嵌め込む。このとき、図３（ａ）から図３（ｃ）を参照して、リッド本体１４の裏面が窪み７の底面と当接して、リッド本体１４が窪み７内に収容される。そして、挿入体１５，１５が傾斜穴９，９内に挿入され、挿入体１５の先端部に形成されたフック状の係止部１９が、傾斜穴９の奥側に形成された係止穴１１内に入り込み係止され、仮固定される。
【００３９】
これにより、本取り付け時、外観的に優れるとともに、リッド本体１４が開口６を覆うので、開口６を介して前記キー差込孔へアクセスすることができない。そのため、本取り付け時には、開口６にアクセスするために、工具を用いて、エスカッションリッド３を取り外す必要がある。そのため、不用意にキー差込孔にアクセスすることが防止される。なお、エスカッションリッド３の一側面１６と、この側面１６に当接する窪み７の側面１２とがともに、挿入方向Ｂと同方向に傾斜しているので、エスカッションリッド３を差し込むとき、引っ掛りなくリッド本体１４を窪み７に容易に収容することができる。
【００４０】
次に、エスカッションリッド３のエスカッション２への仮取り付けについて説明する。
【００４１】
エスカッションリッド３を、図２に示す正規状態から反転させた状態で、エスカッション２の傾斜穴９，９の傾斜方向Ｂを挿入方向として、エスカッション２に対して差し込む。このとき、図４（ａ）から図４（ｃ）を参照して、リッド本体１４の一側面１７が窪み７周縁のエスカッション２の表面８と接触しない。そのため、リッド本体１４の接触によってエスカッション２の表面８に傷が付かず、表面８の意匠性が損なわれない。
【００４２】
そして、挿入体１５，１５が部分的に傾斜穴９，９内に挿入され、挿入体１５の先端部に形成されたフック状の係止部１９が、傾斜穴９の手前側に形成された係止穴１０内に入り込み係止され、仮固定される。このとき、開口６は外部に開放されている。
【００４３】
これにより、仮取り付け時は、エスカッションリッド３を取り外すことなく、開口６を介して前記キー差込孔に解除キーを差し込むことができる。また、作業者が指で挿入体１５，１５を若干内側に押しながら引き抜くことにより、エスカッションリッド３を容易に取り外すことができる。
【００４４】
これにより、車両搬送完了時には、仮取り付けされたエスカッションリッド３を取り外し、反転させて、本取り付けを行うことが容易となる。また、車両搬送時、エスカッションリッド３は、エスカッション２自体に仮取り付けされるので、紛失するおそれがない。
【００４５】
また、エスカッションリッド３の仮取り付け時にも、エスカッションリッド３の外装面１３とエスカッション２の表面８との色彩、光沢、材質などの相違がある場合には明瞭に区別可能であり、色彩、光沢、材質などが相違する他のエスカッションリッド３を誤って取り付けるおそれがない。
【００４６】
以上、本発明の一実施形態に係るエスカッションリッド３の取付構造を説明したが、図示の実施形態に限定されず、適宜種々変形することができる。
【００４７】
例えば、実施形態では、エスカッション２の各傾斜穴９，９に、係止穴１０，１１を手前側と奥側に形成する場合について説明した。しかし、これに限定されず、手前側の係止穴１０を形成しなくてもよい。この場合、仮取り付け時、エスカッションリッド３は係止部１９を係止穴１０に入れ込みことにより係止されないが、この状態で、エスカッションリッド３が容易に取り外れるものでなければ問題はなく、作業者がさらに容易に取り外し可能となる利点もある。
【００４８】
また、実施形態では、エスカッション２に窪み７を形成し、本取り付け時に、この窪み７内にリッド本体１４を収容する場合について説明した。しかし、これに限定されず、窪み７を形成しなくてもよい。ただし、この場合、エスカッション２とエスカッションリッド３とに段差が生じ、外観上の観点などから問題が生じることもある。
【００４９】
また、実施形態では、アクセス方向Ａと傾斜方向Ｂとの成す角度が略４５度である場合について説明した。しかし、エスカッションリッド３を仮取り付けした状態で、前記キー差込孔に解除キーを差し込むことが可能であれば、アクセス方向Ａと傾斜方向Ｂとの成す角度は略４５度に限定されない。
【００５０】
さらに、本発明は、エスカッションリッド３の取付構造に適用する場合に限定されず、適宜種々変形して、任意の取り外し可能な蓋の取付構造に適用することができる。特に、仮取り付け時に、外部からアクセス部にアクセス可能となることが好ましい場合に好適に適用することができる。
【００５１】
例えば、図５を参照して、車両のフロントバンパやリヤバンパなどのバンパ２０（被取付部材）に形成された窪み２１を覆うガーニッシュ（蓋）２２の取付構造に、本発明を適用してもよい。この場合、窪み２１の底面には、車両牽引時に使用するアイボルト締結用のボルト穴が形成されており、このボルト穴がアクセス部となり、アクセス方向は水平方向となる。
【００５２】
通常時、ガーニッシュ２２は本取り付けされており、車両牽引時に、ガーニッシュ２２を一旦取り外し反転させて、仮取り付けする。これにより、ガーニッシュ２２が仮取り付けされた状態で、前記ボルト穴にアイボルトを締結することができ、車両牽引時にガーニッシュ２２を紛失するおそれがなくなる。
【００５３】
さらに、ドアミラー軸部の後部カバーやステアリングホイール基部のカバーなど、部品工場出荷時に仮取り付けされ、車両組立工場で本取り付けされるカバーなどの蓋の取付構造にも本発明を適用することができる。また、本発明が適用される蓋の取付構造は、車両関係に限定されず、日用品や建築用品など任意の分野に適用され得る。
【符号の説明】
【００５４】
２…エスカッション（被取付部材）、３…エスカッションリッド（蓋）、６…開口（アクセス部）、７…窪み、８…窪み周縁のエスカッションの表面、９…傾斜穴、１０…手前側の係止穴（被係止部）、１１…奥側の係止穴（被係止部）、１３…外装面、１４…リッド本体（蓋本体）、１５…挿入体、１７…リッド本体の一側面、１９…係止部、２０…バンパ（被取付部材）、２１…窪み、２２…ガーニッシュ（蓋）。
【図１】
2011144884.tif 000003
【図２】
2011144884.tif 000004
【図３】
2011144884.tif 000005
【図４】
2011144884.tif 000006
【図５】
2011144884.tif 000007